(57)【特許請求の範囲】
【請求項１】
車椅子本体を構成するサイドフレーム１０と座部２０とが別体に構成された座部の高さを調整できる車椅子であって、
一対の交差フレーム２１の一端に設けられた座部２０を構成する側端フレーム２２と、側端フレーム２２と平行に設けられ、前記交差フレーム２１の他端を支持する支持ロッド３０と、該支持ロッド３０の前端と後端をそれぞれ同一高さ位置又は異なる高さ位置に支持することができる支持手段４０を有し、
サイドフレーム１０の前端上部に前記側端フレーム２２の前端を受ける上下位置調整可能に構成された受け具１１を固定する調整パイプ１８を垂設し、
前記支持手段４０と前記受け具１１によって座部の高さが調整できることを特徴とする座高調整式車椅子。
【請求項２】
支持手段４０は、両端部が車椅子２００の前後方向となるようにサイドフレーム１０の下側後端部に一体形成された円筒部材４１と、該円筒部材４１の両端部に嵌合される前蓋４２と後蓋４４とにより構成され、前記前蓋４２には、支持ロッド３０の前端部が挿入される調整孔４３が縦方向に３箇所穿設され、前記後蓋４４には、支持ロッド３０の後端部を支持する支持孔４５が一つ穿設されていることを特徴とする請求項１記載の座高調整式車椅子。
【請求項３】
一端に座部２０を構成する側端フレーム２２の設けられた一対の交差フレーム２１はサイドフレーム１０と回動自在に連結する連結部材５０によって相互に連結されていることを特徴とする請求項１又は請求項２のいずれかに記載の座高調整式車椅子。
【発明の詳細な説明】
【０００１】
【発明の属する技術分野】
本発明は、車椅子に関するものであり、特に車椅子の使用目的に応じて座高の位置を調整できるようにした車椅子の座高調整構造に関するものである。
【０００２】
【従来の技術】
従来より、車椅子の座部構造においては、種々のものが提案されているが、その中でも一般的には、座部と車椅子本体とが一体的に形成されたものが提案されている。この種の車椅子においては、座部を本体フレームから取り外すことができず、また、座部が車椅子本体に固定されているため、座部の高さを調整することができないため、座部を調整するためには、座シートの張り方を緩めたり引っ張たりして高さを調整したり、また、シートマットやクッションを座シートの上に載せて高さを調整していた。
【０００３】
【発明が解決しようとする課題】
しかしながら、車椅子の使用者の体型には個人差があり、快適な使用感を得るためには、使用者のそれぞれの身長、特に足の長さなどの個人差に応じて座部の高さを調整する必要がある。そのため、上述したシートの張り具合で調整する方法やクッションやシートマットで座部の位置を調整するには限界があった。
【０００４】
そこで、本発明は、このような従来の技術に存在する問題点に着目してなされたものであり、その目的は、車椅子の使用目的に応じて座部の高さ位置を調整できるようにした座高調整式車椅子を提供することである。
【０００５】
【課題を解決するための手段】
以上を解決するために、本各発明の採った手段は、実施形態において使用する符号を付して説明すると、請求項１記載の発明は、車椅子本体を構成するサイドフレーム１０と座部２０とが別体に構成された座部の高さを調整できる車椅子であって、一対の交差フレーム２１の一端に設けられた座部２０を構成する側端フレーム２２と、側端フレーム２２と平行に設けられ、前記交差フレーム２１の他端を支持する支持ロッド３０と、該支持ロッド３０の前端と後端をそれぞれ同一高さ位置又は異なる高さ位置に支持することができる支持手段４０を有し、サイドフレーム１０の前端上部に前記側端フレーム２２の前端を受ける上下位置調整可能に構成された受け具１１を固定する調整パイプ１８を垂設し、前記支持手段４０と前記受け具１１によって座部の高さが調整できることを特徴とする座高調整式車椅子をその要旨とした。
【０００６】
次に、請求項２記載の発明は、車椅子本体１０と座部２０とが別体に構成された車椅子における座高調整構造１００を前提とするものであって、支持手段４０は、両端部が車椅子２００の前後方向となるようにサイドフレーム１０の下側後端部に一体形成された円筒部材４１と、該円筒部材４１の両端部に嵌合される前蓋４２と後蓋４４とにより構成され、前記前蓋４２には、支持ロッド３０の前端部が挿入される調整孔４３が縦方向に３箇所穿設され、前記後蓋４４には、支持ロッド３０の後端部を支持する支持孔４５が一つ穿設されていることを特徴とする座高調整式車椅子をその要旨とした。
【０００７】
次に、請求項３記載の発明は、車椅子本体１０と座部２０とが別体に構成された座部の高さを調整できる車椅子２００を前提とするものであって、交差フレーム２１はサイドフレーム１０と回動自在に連結する連結部材５０によって相互に連結されていることを特徴とする座高調整式車椅子をその要旨とした。
【０００８】
さらに、本願発明は、車椅子本体１０と座部２０とが別体に構成された車椅子における座高調整構造１００を前提とするものであって、一対の交差フレーム２１の一端に設けられた前記座部２０を構成する側端フレーム２２と、前記交差フレーム２１の他端に設けられて前記側端フレーム２２と平行に設けられた支持ロッド３０と、前記車椅子本体１０に設けられて前記支持ロッド３０の前端と後端とをそれぞれ同一高さ位置又は異なる高さ位置に支持する支持手段４０と、前記車椅子本体１０に設けられて前記側端フレーム２２の前端を支持するとともに高さ調整可能な受け部１１と、前記車椅子本体１０と前記座部２０とを回動自在に連結する連結部材５０とを備えている。
【０００９】
【発明の実施の形態】
本発明の座高調整構造１００が採用された車椅子２００の実施の形態を説明するが、これは代表的な例を示したものであり、その要旨を超えない限り、以下の実施例により本発明が限定されるものではない。
【００１０】
まず、図１は、本各発明にかかる座高調整構造１００が採用された車椅子２００の一実施例を示す斜視図である。この車椅子２００は、車椅子本体１０と座部２０が別体に構成されたものであり、一対の交差フレーム２１の一端に設けられた座部２０を構成する側端フレーム２２と、交差フレーム２１の他端に設けられて側端フレーム２２と平行に設けられた支持ロッド４２と、車椅子本体１０に設けられて支持ロッド３０の前端と後端とをそれぞれ同一高さ位置又はそれぞれ異なる高さ位置に支持する支持手段４０と、車椅子本体１０に設けられて側端フレーム２２の前端を支持するとともに高さ調整可能な受け部１１と、車椅子本体１０と座部２０とを回動自在に連結する連結部材５０とを備えた座高調整構造１００が採用されている。
【００１１】
前記サイドフレーム１０（請求項に車椅子本体と記載）には、アームレストフレーム１２が一体形成されており、また、このサイドフレーム１０の後端部には背フレーム１３が角度調整自在に固着されている。サイドフレーム１０の前端部には前部フレーム１４が延設されて、この前部フレーム１４寄りに前車輪１５が軸着されている。また、サイドフレーム１０の後端下部には後車輪１６が軸着される軸着溝１７が２段形成されている。かかる軸着溝１７は、後車輪１６における主軸が挿通される長孔の内周の上下部に連続する波溝を一定の間隔で且つ上下位置が一致するように形成されている。これにより、使用者の体型等に合わせて主軸の固着位置を調整できるように構成されている。
【００１２】
前記背フレーム１３は、サイドフレーム１０の後端に設けられた背角度調整部材６０に連結されている。かかる背角度調整部材６０は、背フレーム１３を角度調整可能に固定するものであって、背フレーム１３の後端部を固定するための固定孔６１が複数穿設されており、図示はしない固定ネジとナットにより所望の背角度に調整できるように構成されている。
【００１３】
そして、サイドフレーム１０には座部２０に設けられた支持ロッド３０が支持される支持手段４０が設けられている。前記座部２０は、折り畳み可能な交差フレーム２１の上端に車椅子の前後方向に左右対称的に配設された側端フレーム２２から構成されている。前記交差フレームは、Ｘ状に交差して連結された一対のフレームから構成されている。。また、交差フレーム２１の各々下端には貫通孔２１ａが形成されている。そして、これらの交差フレーム２１間に支持手段４０が配設されている。尚、図示はしないが、かかる側端フレーム２２に弾性シートが適宜張設される。
【００１４】
次に、上記した支持手段４０について図２に基づいて説明する。
【００１５】
前記支持手段４０は、円筒部材４１と、この円筒部材４１の両端部に嵌合される前蓋４２と後蓋４４とにより構成されており、かかる円筒部材４１の両端部が車椅子２００の前後方向となるようにサイドフレーム１０の下側後端部に一体形成されている。図示するように、前蓋４２には、支持ロッド３０の前端部が挿入される調整孔４３が縦方向に３箇所穿設されている。図３に示すように、前記調整孔４３のうち、下部調整孔４３ｃは、略水平方向に設けられており、中間部調整孔４３ｂは、前記下部調整孔４３ｃよりも車椅子の前方向に向かって上向きになるように設けられており、上部調整孔４３ａは、中間部調整孔４３ｂよりもさらに車椅子の前方向に向かって上向きになるように形成されている。
【００１６】
また、図４に示すように、後蓋４４には、支持ロッド３０の後端部を支持する支持孔４５が一つ穿設されている。かかる支持孔４５は、後蓋４４の外壁端部４４ａから前蓋方向に徐々に縦方向に広がる楕円形状に形成されている。このように支持孔４５を縦方向に長い楕円形状に形成したことにより、支持ロッド３０の後端を支点として支持ロッド３０の前端を前蓋４２に穿設された上部調整孔４３ａ乃至下部調整孔４３ｃのいずれかの調整孔４３に挿入させることができる。以上にように構成された支持手段４０においては、図１に示すように、支持ロッド３０を後蓋４４の支持孔４５から前蓋４２の任意の調整孔４３にわたって挿通させるとともに、前蓋４２及び後蓋４４から突出する支持ロッド３０の前後端をワッシャを介してナットによって締付け固定させる。このように構成された支持手段においては、例えば、支持ロッド３０の前端を前蓋４２に形成された下部調整孔４３ｃに挿入されることにより、側端フレームを水平に固定することができる。また、支持ロッド３０の前端を中間部調整孔に挿入させることにより、側端フレームの前端を後端よりも高く位置に固定することができる。このように支持ロッドを前蓋４２に穿設された任意の調整孔４３に挿通させることによって、座部２０の高さを調整することが可能となる。
【００１７】
次に、図５は、車椅子２００を底面から視た図である。この図に示すように、サイドフレーム１０と交差フレーム２１は、回動自在に連結する連結部材５０によって相互に連結されている。連結部材５０は、図６に示すように、サイドフレーム１０の内側上部と交差フレームの上部寄りに配設されている。かかる連結部材５０は、その両端部にベアリング機構を備えた回動部５１を備えている。よって、かかる回動部５１がエルボ状の円運動をするため、車椅子２００を展開姿勢から収束姿勢に折り畳む際、あるいは収束姿勢から展開姿勢にする際の動作を円滑に行うことができるとともに、交差フレーム２１からサイドフレームが離間されることを防止する。
【００１８】
次に座部２０を構成する側端フレーム２２の前端を支持する受け具１１について図７に基づいて説明する。
【００１９】
前記受け具１１には側端フレーム２２を支持する凹部１１ａが形成されている。また、受け具１１には、サイドフレーム１０の前端上部に垂設された調整パイプ１８にボルトとナットを介して固定できるように貫通孔１１ａが形成されている。また、調整パイプ１８には所定間隔を隔てて上下調整孔１８ａが形成されているため、受け具１１を上下位置調整可能に構成されている。このように、受け具１１を調整パイプ１８に対して、上下調整可能に構成したことにより、座高調整に伴う側端フレーム２２の前端の受け位置変更に対しても容易に対応できるとともに、側端フレーム２２の前端を確実に受けることができる。
【００２０】
以上のような構成からなる座高調整式車椅子２００の実施形態によって発揮される効果について、以下説明する。
（１）  上記の実施形態における座高調整式車椅子２００においては、支持手段４０を構成する前蓋４２に穿設された調整孔４３のうち、所望の調整孔４３に支持ロッド３０の前端を挿入させるだけで容易に座部２０の高さを調整することができる。
（２）  上記の実施形態における座高調整式車椅子２００においては、受け具１１を調整パイプ１８に対して、上下調整可能に構成したことにより、座高調整に伴う側端フレーム２２の前端の受け位置変更に対しても容易に対応できるとともに、側端フレーム２２の前端を確実に受けることができる。
（３）  上記の実施形態における座高調整式車椅子２００おいては、サイドフレーム１０と交差フレーム２１とは、ベアリング機構からなる回動部５１を両端に備えた連結部材５０によってそれぞれ相互に連結されている。よって、かかる回動部５１がエルボ状の円動作をするため、車椅子を展開姿勢から収束姿勢に折り畳む際、あるいは収束姿勢から展開姿勢にする際の動作を円滑に行うことができるとともに、交差フレーム２１からサイドフレームが離間することを防止することができる
ところで、本発明にかかる車椅子のフットレスト構造１００の構成は、本実施例に限定されるものではなく、本発明の目的を達成できる範囲内での改良、変更等は本発明に含まれるものである。例えば、本実施例においては、支持手段４０を構成する後蓋４４に１つの支持孔４５のみを穿設した例を示したが、これに限定されることはなく、前蓋及び後蓋４４のそれぞれに上下方向に並んだ調整孔を穿設してもよい。このような実施例においては、座部の前端の座高調整だけでなく、座部の後端の座高調整も行うことができる。
【００２１】
また、本実施例においては、支持手段４０を、円筒部材４１と、この円筒部材４１の両端部に嵌合される前蓋４２及び後蓋４４と、前蓋４２から後蓋４４間にわたって挿入固定される支持ロッド３０により構成された例を示したが、これに限定されることはなく、支持ロッド３０の前端及び後端をそれぞれ同一位置またはそれぞれ異なる位置に支持するように構成された支持手段４０であればいかなる構成でもよい。
【００２２】
【発明の効果】
以上のように、本願発明の座高調整式車椅子においては、車椅子本体と座部とが別体に構成されて、前記座部の下側に設けられて前記座部の側端フレームと平行に設けられた支持ロッドと、前記車椅子本体に設けられて前記支持ロッドの前端と後端とをそれぞれ同一高さ位置又は異なる高さ位置に支持する支持手段と、前記車椅子本体に設けられて前記側端フレームの前端を支持するとともに高さ調整可能な受け部とを備えたものであり、これによれば、車椅子の使用目的に応じて座部の高さ位置を調整することができる。
【００２３】
次に本願発明の車椅子における座高調整構造においては、車椅子本体と座部とが別体に構成されて、前記座部の下側に設けられて前記座部の側端フレームと平行に設けられた支持ロッドと、前記車椅子本体に設けられて前記支持ロッドの前端と後端とをそれぞれ同一高さ位置又は異なる高さ位置に支持する支持手段と、前記車椅子本体に設けられて前記側端フレームの前端を支持するとともに高さ調整可能な受け部とを備えたものであり、これによれば、車椅子の使用目的に応じて座部の高さ位置を調整することができる。
【００２４】
次に、本願発明の座高調整式車椅子においては、車椅子本体と座部とが別体に構成されて、一対の交差フレームの一端に設けられた前記座部を構成する側端フレームと、前記交差フレームの他端に設けられて前記側端フレームと平行に設けられた支持ロッドと、前記車椅子本体に設けられて前記支持ロッドの前端と後端とをそれぞれ同一高さ位置又は異なる高さ位置に支持する支持手段と、前記車椅子本体に設けられて前記側端フレームの前端を支持するとともに高さ調整可能な受け部と、前記車椅子本体と前記座部とを回動自在に連結する連結部材とを備えたものであり、これによれば、車椅子の使用目的に応じて座部の高さ位置を調整することができるとともに、車椅子をコンパクトに折り畳むことができる。
【００２５】
最後に本願発明の車椅子における座高調整構造においては、車椅子本体と座部とが別体に構成されて、一対の交差フレームの一端に設けられた前記座部を構成する側端フレームと、前記交差フレームの他端に設けられて前記側端フレームと平行に設けられた支持ロッドと、前記車椅子本体に設けられて前記支持ロッドの前端と後端とをそれぞれ同一高さ位置又は異なる高さ位置に支持する支持手段と、前記車椅子本体に設けられて前記側端フレームの前端を支持するとともに高さ調整可能な受け部と、前記車椅子本体と前記座部とをそれぞれ回動自在に連結する連結部材とを備えたものあり、これによれば、車椅子の使用目的に応じて座部の高さ位置を調整することができるとともに、車椅子をコンパクトに折り畳むことができる。
【図面の簡単な説明】
【図１】本発明にかかる座高調整構造が採用された座高調整式車椅子の一実施例を示す側面図である。
【図２】本発明にかかる座高調整構造を構成する支持手段の分解斜視図である。
【図３】本発明にかかる支持手段を構成する前蓋を示す側面図である。
【図４】本発明にかかる支持手段を構成する後蓋を示す側面図である。
【図５】本発明にかかる座高調整式車椅子の一実施例を示す底面図である。
【図６】本発明にかかる座高調整式車椅子を収束させていく状態を示す正面図である。
【図７】座部を構成する側端フレームを支持する受け部の構成を示す斜視図である。
【符号の説明】
１０    サイドフレーム
１１    受け部
２０    座部
２１    交差フレーム
２２    側端フレーム
３０    支持ロッド
４０    支持手段
４１    円筒部材
４２    前蓋
４４    後蓋
５０    連結部材
５１    回動部
１００  座高調整構造
２００  座高調整式車椅子
【図１】
0004461404.tif 000002
【図２】
0004461404.tif 000003
【図３】
0004461404.tif 000004
【図４】
0004461404.tif 000005
【図５】
0004461404.tif 000006
【図６】
0004461404.tif 000007
【図７】
0004461404.tif 000008